(57)【要約】      （修正有）【課題】安価な構成で測定環境の気温を精度よく測定することが可能な血圧計を提供する。【解決手段】ポンプを備えた本体部２０と、ポンプから空気が供給されるカフとを備えた血圧計は、気温を測定する温度センサ２８と、ポンプと温度センサとを収容するケース体３０とを有し、ケース体に、温度センサを収容する収容空間Ｓをケース体の外部に連通させる外気導入孔４０が設けられている。【選択図】図５
2020137714.tif 000002
【特許請求の範囲】
【請求項１】
ポンプを備えた本体部と、前記ポンプから空気が供給されるカフとを備えた血圧計であって、
気温を測定する温度センサと、
前記ポンプと前記温度センサとを収容するケース体とを有し、
前記ケース体に、前記温度センサを収容する収容空間を前記ケース体の外部に連通させる外気導入孔が設けられていることを特徴とする血圧計。
【請求項２】
前記ケース体の複数の面に、それぞれ前記外気導入孔が設けられている、請求項１に記載の血圧計。
【請求項３】
前記温度センサにより測定された気温が、血圧の測定に適する気温であるか否かを判断する判断部を有する、請求項１または２に記載の血圧計。
【請求項４】
前記温度センサが、前記ポンプの作動の有無に拘わらず、定期的に気温を測定する、請求項１〜３の何れか１項に記載の血圧計。
【請求項５】
前記温度センサの測定値を記憶する記憶部と、
前記温度センサの今回の測定値と前記記憶部に記憶されている過去の測定値とに基づいて気温の変化を検出する気温変化検出部とを有する、請求項４に記載の血圧計。
【発明の詳細な説明】
【技術分野】
【０００１】
本発明は、生体の血圧を測定する血圧計に関する。
【背景技術】
【０００２】
ポンプを備えた本体部と、ポンプから空気が供給されるカフとを備え、被測定者の腕や手首等の被測定部位にカフを巻き付けて測定スイッチを押すだけの簡単な操作で、自動的に血圧の測定を行うことができる血圧計が知られている。
【０００３】
一方、気温と血圧の変動との関係性について多くの研究がなされており、気温が低いと血圧が高くなる傾向があることが認められている。特に、気温が急激に低下した場合には、血圧が乱高下する虞があることが知られている。そこで、被測定者が血圧を測定する際にその測定環境の気温を容易に知ることができるように、気温を測定する温度センサを備えた血圧計が開発されている。
【０００４】
例えば特許文献１には、本体のケース体の内部に、測定環境の温度を測定する温度測定部を収容した血圧計が記載されている。
【０００５】
また、特許文献２には、本体ケースの内部に、ポンプによって空気が導入される空気流れの経路上に位置するように温度センサを設け、血圧測定のためにポンプが作動したときに、当該ポンプによって本体ケースの内部に導入された空気の温度を測定環境の気温として測定するようにした血圧計が記載されている。
【先行技術文献】
【特許文献】
【０００６】
【特許文献１】特開２００９−１７２０９８号公報
【特許文献２】特開２０１０−９９３８４号公報
【発明の概要】
【発明が解決しようとする課題】
【０００７】
しかし、特許文献１に記載される従来の血圧計では、ケース体は外部に対して密閉されているので、ケース体の内部の温度が当該ケース体の外部の気温と一致する温度となるまでに時間がかかることになる。そのため、ケース体の内部に配置された温度測定部によっては、特に気温が急激に変化した場合などにおいて、測定環境の気温を正確に測定することができないという問題があった。
【０００８】
一方、特許文献２に記載される従来の血圧計のように、ポンプが作動したときに、当該ポンプによって本体ケースの内部に導入された空気の温度を測定環境の気温として測定するようにした血圧計では、気温が急激に変化した場合であっても、当該変化後の測定環境の気温を測定することができる。しかし、この場合、ポンプが作動している短時間で気温の測定を行う必要があるので、温度センサとして応答性の高い高価ものを用いる必要があり、コストが増加するという問題があった。
【０００９】
本発明は、上記課題に鑑みて成されたものであり、その目的は、安価な構成で測定環境の気温を精度よく測定することが可能な血圧計を提供することにある。
【課題を解決するための手段】
【００１０】
本発明の血圧計は、ポンプを備えた本体部と、前記ポンプから空気が供給されるカフとを備えた血圧計であって、気温を測定する温度センサと、前記ポンプと前記温度センサとを収容するケース体とを有し、前記ケース体に、前記温度センサを収容する収容空間を前記ケース体の外部に連通させる外気導入孔が設けられていることを特徴とする。
【００１１】
本発明の血圧計は、上記構成において、前記ケース体の複数の面に、それぞれ前記外気導入孔が設けられているのが好ましい。
【００１２】
本発明の血圧計は、上記構成において、前記温度センサにより測定された気温が、血圧の測定に適する気温であるか否かを判断する判断部を有するのが好ましい。
【００１３】
本発明の血圧計は、上記構成において、前記温度センサが、前記ポンプの作動の有無に拘わらず、定期的に気温を測定するのが好ましい。
【００１４】
本発明の血圧計は、上記構成において、前記温度センサの測定値を記憶する記憶部と、前記温度センサの今回の測定値と前記記憶部に記憶されている過去の測定値とに基づいて気温の変化を検出する気温変化検出部とを有するのが好ましい。
【発明の効果】
【００１５】
本発明によれば、安価な構成で測定環境の気温を精度よく測定することが可能な血圧計を提供することができる。
【図面の簡単な説明】
【００１６】
【図１】本発明の一実施の形態である血圧計の斜視図である。
【図２】図１に示す血圧計のブロック図である。
【図３】図１に示す血圧計の右側面図である。
【図４】図１に示す血圧計の左側面図である。
【図５】図３におけるＡ−Ａ線に沿う断面図である。
【発明を実施するための形態】
【００１７】
以下、図面を参照して、本発明をより具体的に例示説明する。
【００１８】
図１に示すように、本発明の一実施の形態である血圧計１は、カフ１０と本体部２０とを備えている。この血圧計１は、カフ１０を被測定者の手首に巻き付けて固定し、本体部２０に設けられた操作スイッチ２１、２２を操作することで、被測定者の血圧を自動的に測定することができる。すなわち、本実施の形態の血圧計１は、被測定者の手首を被検出部位として血圧の測定を自動的に行う手首型の電子式血圧計となっている。
【００１９】
カフ１０は、空気袋を内蔵したベルト状に形成されており、その長さは被測定者の手首に巻き付け可能な長さとなっている。カフ１０は、面ファスナーやバックル等の保持手段を備え、被測定部位である被測定者の手首に巻き付けた状態に保持することができる。カフ１０は、血圧の測定に際し、空気袋に空気が注入されることで膨張して被測定者の手首を圧迫することができる。
【００２０】
図２において機能ブロックとして示すように、本体部２０は制御部２３を有している。本実施の形態では、制御部２３は、ＣＰＵ等の電子部品が実装された制御基板を備えたマイクロコンピュータとなっている。制御部２３にはメモリ等の記憶部２４が接続されている。記憶部２４は、制御部２３のＣＰＵに所定の動作を行わせるためのプログラム、過去の測定結果等の各種の情報を記憶することができる。本実施の形態では、記憶部２４は、制御部２３を構成する制御基板上に実装して設けられている。
【００２１】
本体部２０には表示部２５が設けられている。本実施の形態では、表示部２５は液晶パネルとして構成されている。表示部２５は、例えば、測定した血圧の最高値及び最低値などの測定結果、脈拍の測定結果、日付、時刻、周囲の気温、過去の測定結果等の種々の情報を、数値や図形、グラフ等を用いて表示することができる。表示部２５は、上記のような種々の情報を表示可能なものであれば、液晶パネルに替えて他の形式の表示パネル等を用いてもよい。
【００２２】
上記の操作スイッチ２１、２２は、それぞれ制御部２３に接続されている。操作スイッチ２１、２２が操作されると、その操作信号が制御部２３に入力され、入力された操作信号に応じた処理が制御部２３により実行される。被測定者ないし操作者は、これらの操作スイッチ２１、２２を操作することにより、例えば、電源のオン・オフ、測定の開始及び停止、過去の測定結果の呼び出し等の種々の指令を血圧計１に対して入力することができる。
【００２３】
本体部２０にはポンプ２６が設けられている。ポンプ２６としては、例えばダイアフラム型ポンプなどの種々の形式ないし構成のポンプを採用することができる。ポンプ２６は制御部２３に接続されており、制御部２３によって作動が制御される。ポンプ２６は、空気を吸入し、当該吸入した空気を加圧して吐出するものであり、その吐出口はカフ１０に接続されている。
【００２４】
ポンプ２６が作動すると、ポンプ２６から吐出された空気がカフ１０に供給される。カフ１０はポンプ２６から空気が供給されることで、被測定者の手首を圧迫することができる。詳細は図示しないが、ポンプ２６とカフ１０との間には、カフ１０の内部の空気の圧力を維持し、あるいはカフ１０の内部の空気を外部に排出する弁機構が設けられている。
【００２５】
ポンプ２６とカフ１０との間の空気流路には圧力センサ２７が接続されている。圧力センサ２７はカフ１０の内部の空気の圧力を測定することができる。圧力センサ２７は制御部２３に接続されており、圧力センサ２７の測定結果は制御部２３に入力される。
【００２６】
制御部２３は、ポンプ２６からカフ１０に空気が供給されてカフ１０により手首を圧迫した状態において、圧力センサ２７により検知されるカフ１０の内部の圧力の変化に基づいて、すなわちオシロメトリック方式により、被測定者の血圧の値（最高血圧値及び最低血圧値）を測定することができる。
【００２７】
なお、血圧計１は、カフ１０にマイクロフォン等の音響センサを備え、制御部２３が、圧力センサ２７から入力されるカフ１０の圧力の状態と音響センサから入力されるコロトコフ音の発生及び消滅に基づいて、すなわちコロトコフ方式により、被測定者の血圧の値を求める構成とすることもできる。
【００２８】
本体部２０には温度センサ２８が設けられている。温度センサ２８としては、例えばサーミスタを用いることができる。温度センサ２８は、血圧計１の周囲の気温、すなわち血圧計１を用いて血圧を測定する際の測定環境の気温を測定するものである。温度センサ２８は制御部２３に接続されており、その測定結果は制御部２３に入力される。
【００２９】
なお、温度センサ２８は、サーミスタに限らず、気温を測定し、その測定結果を制御部２３に入力することができるものであれば、種々の構成のものを用いることができる。
【００３０】
制御部２３は、温度センサ２８から入力された測定結果（血圧計１の周囲の気温）を、例えば表示部２５に数値として表示することができる。
【００３１】
また、制御部２３は、温度センサ２８により測定された気温が所定の気温以下である場合に、測定環境の気温が血圧の測定に適していないと判断する判断部としての機能を有している。制御部２３は、測定環境の気温が血圧の測定に適していないと判断した場合には、表示部２５に警告を表示し、あるいは警告音を発生することで、被測定者に測定環境の気温が血圧の測定に適していない気温であることを警告することができる。
【００３２】
本体部２０は、当該本体部２０の外殻を構成するケース体３０を備えている。図１に示すように、本実施の形態では、ケース体３０は、薄い箱型に形成されたメインケース３１と、メインケース３１の背面３１ａから突出する突出ケース３２とを備えている。メインケース３１と突出ケース３２は合成樹脂材料により一体的に形成されている。
【００３３】
カフ１０は、本体部２０の突出ケース３２に取り付けられている。これにより、カフ１０が被測定者の手首に固定されると、本体部２０もカフ１０とともに被測定者の手首に固定される。すなわち、本実施の形態の血圧計１は、カフ１０と本体部２０とが一体化された一体型となっている。このような一体型の血圧計１は、容易に持ち運びが可能であるとともに、被測定者が手首に血圧計１を測定したまま移動することも可能なものである。
【００３４】
ケース体３０の内部には、本体部２０を構成する各部、すなわち制御部２３、記憶部２４、ポンプ２６、圧力センサ２７及び温度センサ２８が収容されている。
【００３５】
図５に示すように、ケース体３０の内部には表示部支持体３３が設けられ、表示部２５は、表示部支持体３３に支持されてメインケース３１の前面３１ｂを構成するガラス板に沿って配置されている。ケース体３０の内部の表示部２５が配置される部分は、表示部支持体３３によってケース体３０の内部に設けられた収容空間Ｓに対して区画されている。
【００３６】
操作スイッチ２１、２２は、メインケース３１の前面３１ｂの下方側の領域に配置されている。
【００３７】
ケース体３０の突出ケース３２の部分の内部には、例えば乾電池等の電源が収容される。電源は、制御部２３や表示部２５、ポンプ２６等に向けて、その作動に必要な電力を供給する。
【００３８】
図５に示すように、制御部２３は、その左右両側部分が衝立３４によって支持されて表示部支持体３３の表示部２５が支持された部分とは反対側においてケース体３０の収容空間Ｓに収容されている。温度センサ２８は、制御部２３を構成する制御基板上に実装されてケース体３０の内部の収容空間Ｓに収容されている。温度センサ２８は、収容空間Ｓの内部の空気の温度をケース体３０の外部の気温として測定することができる。なお、温度センサ２８は、制御部２３を構成する制御基板上に実装された形態に限らず、他の形態で収容空間Ｓに収容されていてもよい。
【００３９】
図１、図３〜図５に示すように、ケース体３０には、温度センサ２８を収容している収容空間Ｓをケース体３０の外部に連通させる外気導入孔４０が設けられている。本実施の形態では、ケース体３０の複数の面、すなわちメインケース３１の右側面３１ｃと左側面３１ｄとに、それぞれ外気導入孔４０が設けられている。
【００４０】
図３に示すように、メインケース３１の右側面３１ｃには、１２本のスリット状の外気導入孔４０が設けられている。これらの外気導入孔４０は、それぞれメインケース３１の背面３１ａと前面３１ｂとの間で天面３１ｅに平行な方向に延び、天面３１ｅと底面３１ｆとの間に等間隔に並べて設けられている。同様に、図４に示すように、メインケース３１の左側面３１ｄには、１２本のスリット状の外気導入孔４０が設けられている。これらの外気導入孔４０は、それぞれメインケース３１の背面３１ａと前面３１ｂとの間で天面３１ｅに平行な方向に延び、天面３１ｅと底面３１ｆとの間に等間隔に並べて設けられている。このように、ケース体３０の互いに対向する右側面３１ｃ及び左側面３１ｄに、それぞれ１２本のスリット状の外気導入孔４０が左右対称に設けられている。なお、図１、図３及び図４においては、便宜上、１つの外気導入孔４０にのみ符号を付してある。
【００４１】
本実施の形態の血圧計１では、ケース体３０に外気導入孔４０を設けるようにしたので、ケース体３０の収容空間Ｓの空気を、当該収容空間Ｓに籠らせることなく、外気導入孔４０から導入される外気によって常に換気することができる。特に、ケース体３０の収容空間Ｓの空気の温度がケース体３０の外部の気温と相違する場合には、その温度差によって自然に生じる対流によってケース体３０の収容空間Ｓの空気は外部の空気と換気される。すなわち、ケース体３０に外気導入孔４０が設けられることにより、収容空間Ｓの内部の空気は、ファン等の強制循環手段を用いることなく、自然な循環により外部の空気と換気が行なわれる。
【００４２】
このような構成により、本実施の形態の血圧計１では、ケース体３０に外気導入孔４０が設けられない場合に比べて、ケース体３０の収容空間Ｓの内部の空気の温度を、ケース体３０の外部の気温に迅速に近づかせることができる。特に、血圧計１の置かれた場所の気温が変化し、あるいは血圧計１が気温の異なる場所まで移動されるなどして、血圧計１の周囲の気温が変化した場合であっても、ケース体３０の収容空間Ｓの内部の空気の温度を、ケース体３０の外部の気温に迅速に近づかせることができる。よって、ケース体３０の収容空間Ｓに収容されている温度センサ２８により、ケース体３０の外部の血圧計１の周囲の気温を精度よく測定することができる。
【００４３】
このように、本実施の形態の血圧計１では、ケース体３０に外気導入孔４０を設けるようにしたので、ケース体３０の収容空間Ｓに収容した温度センサ２８によって血圧計１の周囲の気温を精度よく測定することができる。したがって、温度センサ２８として応答性の高い高価ものを用いることなく、血圧計１を、安価な構成で測定環境の気温を精度よく測定することが可能なものとすることができる。
【００４４】
特に、本実施の形態の血圧計１のような手首型ないし一体型のものは、持ち運びが容易であるため、被測定者が血圧計１を携帯し、血圧の測定前に気温が大きく相違する他の場所に移動することが考えられる。これに対し、本実施の形態の血圧計１によれば、血圧計１の周囲の気温が変化した場合であっても、ケース体３０の収容空間Ｓに収容されている温度センサ２８によって血圧計１の周囲の変化後の気温を精度よく測定することができる。
【００４５】
そして、本実施の形態の血圧計１によれば、上記の測定結果に基づいて、制御部２３により、血圧を測定する際の周囲の気温すなわち測定環境の気温が血圧の測定に適しているか否かを判断し、その判断結果を被測定者に通知することができる。よって、この血圧計１を使用する被測定者の利便性を高めることができる。
【００４６】
なお、本実施の形態の血圧計１は、温度センサ２８をケース体３０の内部に収容した構成としつつ血圧計１の周囲の変化後の気温を精度よく測定することができるものである。よって、本実施の形態の血圧計１によれば、温度センサ２８をケース体３０により保護して、温度センサ２８の破損を防止することができる。
【００４７】
また、本実施の形態の血圧計１では、ケース体３０の右側面３１ｃと左側面３１ｄとに外気導入孔４０を設けるようにしたので、収容空間Ｓの右側面３１ｃに設けられた外気導入孔４０と左側面３１ｄに設けられた外気導入孔４０との間の領域を、外気が流通する流路に構成することができる。これにより、収容空間Ｓの内部の空気がより効率よく外気と換気されるようにして、ケース体３０の収容空間Ｓに収容した温度センサ２８によって血圧計１の周囲の気温をさらに精度よく測定することができる。
【００４８】
本実施の形態においては、ケース体３０の右側面３１ｃと左側面３１ｄとに外気導入孔４０を設けるようにしているが、ケース体３０の複数の面に外気導入孔４０が設けられていれば、その配置は種々変更可能である。例えば、外気導入孔４０は、ケース体３０の互いに対向する一対の面、すなわち天面３１ｅと底面３１ｆとに設けられてもよく、あるいは前面３１ｂと背面３１ａとに設けられてもよい。また、外気導入孔４０は、例えば右側面３１ｃと底面３１ｆ、右側面３１ｃと天面３１ｅ、右側面３１ｃと前面３１ｂ、右側面３１ｃと背面３１ａなど、ケース体３０の互いに隣接する一対の面に設けられてもよい。さらに、外気導入孔４０は、ケース体３０の互いに対向する一対の面と当該一対の面に隣接する面とに設けられてもよい。さらに、外気導入孔４０は、ケース体３０の３つ以上の面に設けられてもよい。これらの構成によっても、上記と同様に、各面に設けられた外気導入孔４０の間の領域を外気が流通する流路に構成して、収容空間Ｓの内部の空気をより効率よく外気と換気させることができる。
【００４９】
さらに、本実施の形態の血圧計１では、ケース体３０の右側面３１ｃ及び左側面３１ｄのそれぞれに複数の外気導入孔４０を設けるようにしたので、収容空間Ｓの内部の空気をより効率よく外気と換気させることができる。したがって、ケース体３０の収容空間Ｓに収容した温度センサ２８によって血圧計１の周囲の気温をさらに精度よく測定することができる。
【００５０】
さらに、本実施の形態の血圧計１では、ケース体３０の右側面３１ｃ及び左側面３１ｄのそれぞれに設けられる複数の外気導入孔４０をスリット状のものとしたので、各面における複数の外気導入孔４０の合計の開口面積を大きく確保しつつ、外気導入孔４０から収容空間Ｓの内部に異物が侵入することを抑制することができる。
【００５１】
外気導入孔４０から収容空間Ｓの内部に異物が侵入することを抑制するために、収容空間Ｓの内部に、隔壁３３ａを設けた構成とすることができる。図５に示すように、隔壁３３ａは表示部支持体３３の一部として表示部支持体３３の両端部に一体に設けられており、それぞれ対応する外気導入孔４０の内側に所定の間隔を空けて対向して配置されている。このような構成により、外気導入孔４０から収容空間Ｓの内部に向けた異物の侵入を隔壁３３ａにより阻止して、血圧計１が異物により破損されることを効果的に抑制することができる。
【００５２】
また、外気導入孔４０から収容空間Ｓの内部に向けた異物の侵入を衝立３４によってさらに確実に阻止する構成とすることもできる。本実施の形態においては、衝立３４は、隔壁３３ａよりも内側に隔壁３３ａに対して前面３１ｂから離れる方向にずれて配置されている。このような構成により、外気導入孔４０から収容空間Ｓの内部に向けた異物の侵入を衝立３４によってさらに確実に阻止して、血圧計１が異物により破損されることをより効果的に抑制することができる。
【００５３】
温度センサ２８は、ポンプ２６の作動の有無に拘わらず、定期的に気温を測定する構成とすることができる。本実施の形態では、温度センサ２８は、血圧計１による血圧の測定が実際に行われる前において、血圧計１の電源がオフの状態においても、バックグラウンドで予め定められた所定の時間毎（例えば１分毎）に気温を定期的に測定し、制御部２３に入力する構成となっている。
【００５４】
ケース体３０の収容空間Ｓの空気は常に外気導入孔４０を通して外気と換気されるので、血圧の測定前に、既にケース体３０の収容空間Ｓの空気の温度はケース体３０の外部の気温に近い温度となっている。そのため、上記のように、定期的に温度センサ２８による測定を行うことで、収容空間Ｓの温度すなわちケース体３０の外部の気温を、血圧の測定前に精度よく測定しておくことができる。よって、温度センサ２８として応答性の高い高価なものを用いることなく、血圧の測定を開始する際に、迅速に測定環境の気温を被測定者に知らせることができる。
【００５５】
また、温度センサ２８により定期的に気温を測定する構成とした場合には、温度センサ２８の測定値を記憶部２４に記憶させるとともに、温度センサ２８の今回の測定値と記憶部２４に記憶されている過去の測定値とに基づいて、血圧計１の周囲の気温の変化を検出する構成とすることもできる。この場合、制御部２３は、気温変化検出部５０としての機能を内部機能として有し、気温変化検出部５０において温度センサ２８の今回の測定値と記憶部２４に記憶されている過去の測定値とに基づいて血圧計１の周囲の気温の変化を算出するように構成することができる。気温変化検出部５０は、温度センサ２８の今回の測定値と記憶部２４に記憶されている前回の測定値とに基づいて血圧計１の周囲の気温の変化を算出するように構成されてもよく、あるいは温度センサ２８の今回の測定値と記憶部２４に記憶されている過去の複数回の測定値とに基づいて血圧計１の周囲の気温の変化を算出するように構成されてもよい。
【００５６】
制御部２３は、気温変化検出部５０により検出した気温の変化量が所定の閾値以上となった場合に、気温の変化量が血圧の測定に適しない急激なものであると判断する。当該判断は、血圧計１の電源がオフの状態においても、バックグラウンドで実行される。
【００５７】
制御部２３は、気温変化検出部５０により得た気温の変化量が血圧の測定に適しない急激な変化量であると判断した場合に、表示部２５に気温が急激に変化したとの警告を表示し、あるいは警告音を発生させることで、被測定者に測定環境の気温が血圧の測定に適していない程度に急激に変化したことを警告する構成とすることができる。すなわち、血圧計１は、気温変化検出部５０により気温の急激な変化が検出された場合には、血圧の測定を実施しつつ、測定環境が血圧の測定に適していない旨の警告を表示部２５に表示し、あるいは警告音を発生させて被測定者に報知する構成とすることができる。なお、血圧計１は、気温変化検出部５０により気温の急激な変化が検出された場合には、被測定者による血圧の測定を実施させず、測定環境の気温が適切な気温ないし温度変化の範疇にあるときにのみ、血圧の測定を実行可能な構成とすることもできる。
【００５８】
特に、本実施の形態の血圧計１のような手首型ないし一体型の血圧計１は、持ち運びが容易であるため、血圧の測定前に、血圧計１が被測定者により携帯されて気温が相違する他の場所に移動されることが考えられる。これに対し、血圧計１を上記の気温変化検出部５０を備えた構成とすれば、移動による気温の変化量が血圧の測定に適しない急激な変化量であるか否かを気温変化検出部５０によって精度よく判断し、被測定者に迅速に知らせることができる。
【００５９】
気温変化検出部５０による上記判断は、血圧計１の電源がオフの状態においても、バックグラウンドで実行される。したがって、被測定者が血圧計１の電源を入れると直ぐに、移動による気温の変化量が血圧の測定に適しない急激な変化量であることを被測定者に知らせることができる。
【００６０】
上記構成を有する血圧計１は、以下の手順により被測定者の血圧を測定することができる。
【００６１】
まず、カフ１０を被測定者の手首に巻き付けて固定する。
【００６２】
次に、操作スイッチ２１、２２を操作して電源をオンすると、制御部２３及び気温変化検出部５０において、測定環境の気温及び気温の変化が血圧の測定に適したものであるか否かが判断され、気温ないし気温の変化が血圧の測定に適していない場合には警告が発せられる。
【００６３】
一方、制御部２３及び気温変化検出部５０において、気温ないし気温の変化が血圧の測定に適しているものと判断された場合には、操作スイッチ２１、２２を操作することで測定を開始することができる。
【００６４】
血圧の測定が開始されると、制御部２３により制御されてポンプ２６が作動し、ポンプ２６からカフ１０に空気が注入され、カフ１０が加圧されて手首がカフ１０により圧迫される。血圧計１は、手首がカフ１０により徐々に圧迫される過程において、圧力センサ２７により検出される脈拍が発生及び消滅するときの内部の圧力に基づいて、すなわち加圧式のオシロメトリック方式により、血圧を測定する。カフ１０が手首における脈拍を消失させる程度にまで加圧されると、血圧の測定が終了し、ポンプ２６の作動が停止するとともに弁機構が開いてカフ１０による手首の圧迫が解除される。
【００６５】
血圧の測定が完了すると、その測定結果が表示部２５に表示されるとともに過去のデータとして記憶部２４に記憶される。
【００６６】
本発明は前記実施の形態に限定されるものではなく、その要旨を逸脱しない範囲で種々変更可能であることはいうまでもない。
【００６７】
例えば、前記実施の形態においては、血圧計１は手首型ないし一体型とされているが、これに限らず、これに限定されるものではない。例えば、血圧計１は、本体部２０が空気チューブを介してカフ１０に接続された別体型の構成のものとしてもよい。あるいは、血圧計１は、本体部２０が、ケース体３０に上腕を挿通可能な円筒状の挿通筒体を一体に備え、カフ１０が挿通筒体の内面に沿って設けられた据置き型のものであってもよい。
【００６８】
また、ケース体３０の形状は種々変更可能である、
【００６９】
さらに、ケース体３０に設けられる外気導入孔４０の個数や形状、配置も種々変更可能である。
【符号の説明】
【００７０】
１    血圧計
１０    カフ
２０    本体部
２１    操作スイッチ
２２    操作スイッチ
２３    制御部（判断部）
２４    記憶部
２５    表示部
２６    ポンプ
２７    圧力センサ
２８    温度センサ
３０    ケース体
３１    メインケース
３１ａ  背面
３１ｂ  前面
３１ｃ  右側面
３１ｄ  左側面
３１ｅ  天面
３１ｆ  底面
３２    突出ケース
３３    表示部支持体
３３ａ  隔壁
３４    衝立
４０    外気導入孔
５０    気温変化検出部
Ｓ    収容空間
【図１】
2020137714.tif 000003
【図２】
2020137714.tif 000004
【図３】
2020137714.tif 000005
【図４】
2020137714.tif 000006
【図５】
2020137714.tif 000007